(57)【要約】【課題】  有毒ガスを発生するような難燃剤を用いることがなく、難燃剤を含浸させるための設備を必要としないで難燃化した木材を用いた建物の外壁の防火構造及び建物の屋根の防火構造を提供すること。【解決手段】  薄型金属板２ｃを露出表面に貼着した木材１ｃを、屋根のもや７、たる木８、つか等として使用する。【選択図】        図３
2005061023.tif 000002
【特許請求の範囲】
【請求項１】
外装材と内装材とが間隔を置いて設置されて建物の外壁部が形成され、この外装材と内装材に囲まれた空間内に、木材からなる胴縁、間柱等が設けられ、この木材からなる胴縁、間柱等の露出面に薄型金属板を貼着したことを特徴とする建物の外壁の防火構造。
【請求項２】
屋根裏部に、木材からなるもや、たる木、つか等が設けられ、この木材からなるもや、たる木、つか等の露出面に薄型金属板を貼着したことを特徴とする建物の屋根の防火構造。
【発明の詳細な説明】
【技術分野】
【０００１】
この発明は、建物の外壁の防火構造及び建物の屋根の防火構造に関する。
【背景技術】
【０００２】
従来、建物に使用する木材を難燃化するのに、リン酸アンモニウム、リン酸グアニジン等のリン酸系難燃剤、ハロゲン系難燃剤、ジシアンジアミド等の難燃剤が用いられている。
そして、リン酸化合物及びジシアンアミドのうちの少なくとも一方を含む難燃剤とユリアとホルマリンを含む水溶液を木材に含浸させて木材を難燃化することが提案されている（特許文献１参照）。
【特許文献１】特開平５−７７２０７号公報
【発明の開示】
【発明が解決しようとする課題】
【０００３】
しかし、難燃剤を含浸させるような木材の難燃化方法では、建物が燃焼した場合、難燃剤が刺激性の強い有毒ガスを発生し、人体に悪影響を与える危険がある。
また、難燃剤は高価であり、難燃剤を木材に含浸させるには、減圧、加圧注入するための設備が必要となり、コスト高になるという問題があった。
【０００４】
この発明は、上記の問題点を解消し、有毒ガスを発生するような難燃剤を用いることがなく、難燃剤を含浸させるための設備を必要としないで難燃化した木材を用いた建物の外壁の防火構造及び建物の屋根の防火構造を提供することを目的とする。
【課題を解決するための手段】
【０００５】
請求項１記載の発明の外壁の防火構造は、外装材と内装材とが間隔を置いて設置されて建物の外壁部が形成され、この外装材と内装材に囲まれた空間内に、木材からなる胴縁、間柱等が設けられ、この木材からなる胴縁、間柱等の露出面に薄型金属板を貼着したことを特徴とする。
【０００６】
請求項２記載の発明の建物の屋根の防火構造は、屋根裏部に、木材からなるもや、たる木、つか等が設けられ、この木材からなるもや、たる木、つか等の露出面に薄型金属板を貼着したことを特徴とする。
【０００７】
これらの発明において、薄型金属板を木材の表面に貼着する方法としては、接着剤によって貼着する方法や、釘、ビス、ねじ等で固定する方法等が挙げられる。
【０００８】
薄型金属板としては、アルミ箔、アルミ板、アルミテープ、アルミガラスクロス、鉄板、銅板等が適宜選択されて使用される。
また、薄型金属板の厚さも特に限定されないが、厚くするほど難燃性が良くなるので、使用個所に要求される難燃性能に応じて、その厚さを決めればよい。
【発明の効果】
【０００９】
請求項１記載の発明の建物の外壁の防火構造にあっては、外装材と内装材に囲まれた空間内に設けられた木材からなる胴縁、間柱等の露出面に薄型金属板を貼着したので、炎が薄型金属板で遮られ、外壁部の防火性能が向上し、燃焼時に有毒ガスの発生がない。
【００１０】
請求項２記載の発明の建物の屋根の防火構造にあっては、屋根裏部に、木材からなるもや、たる木、つか等が設けられ、この木材からなるもや、たる木、つか等の露出面に薄型金属板を貼着したので、炎が薄型金属板で遮られ、屋根部の防火性能が向上し、燃焼時に有毒ガスの発生がない。
【発明を実施するための最良の形態】
【００１１】
この発明を実施するための最良の形態を図面を参照して説明する。
【実施例１】
【００１２】
図１は、この発明の建物の外壁の防火構造に用いられる難燃化された木材からなる胴縁の一例を示す部分断面図  図２は、この発明の建物の外壁の防火構造の一例を示すものであり、（イ）は部分縦断面図、（ロ）は部分横断面図である。
図１、図２において、１は木材、２は薄型金属板、３は胴縁、４は間柱、５は外装材、６は内装材である。
【００１３】
胴縁３は、図１に示すように、外装材と内装材に囲まれた空間部に露出する木材１の両面に、アルミ箔、アルミ板、アルミテープ、アルミガラスクロス、鉄板、銅板等の薄型金属板２が接着剤、ビス、ねじ等により貼着されることにより構成されている。
【００１４】
間柱４は、外装材と内装材に囲まれた空間部に露出する木材１ａの両面に、アルミ箔、アルミ板、アルミテープ、アルミガラスクロス、鉄板、銅板等の薄型金属板２ａが接着剤、ビス、ねじ等により貼着されることにより構成されている。
【００１５】
この胴縁３と間柱４は、木片セメント板、木毛セメント板等の準不燃材からなる外装材５と内装材６の間の空間に配設され、外壁部の防火構造が形成されている。
【００１６】
この発明の建物の外壁の防火構造によれば、胴縁３や間柱４の本体部の木材１、１ａの露出部は、薄型金属板２、２ａによって炎が遮られて難燃化されるので、建物の外壁の防火性能が向上したものとなっている。仮に燃焼しても、難燃材を含浸していないので有毒ガスが発生しない。
【実施例２】
【００１７】
図３は、この発明の建物の屋根の防火構造の一例を示すものであり、（イ）は部分縦断面図、（ロ）は（イ）のＡ−Ａ線の断面図である。
図３において、７はもや、８はたる木、９は屋根葺き材である。
【００１８】
もや７は、屋根裏部に配設され、屋根裏空間に露出する木材１ｂの両面に、アルミ箔、アルミ板、アルミテープ、アルミガラスクロス、鉄板、銅板等の薄型金属板２ｂが接着剤、ビス、ねじ等により貼着されることにより構成されている。
【００１９】
たる木８は、屋根裏部に配設されて上面には屋根葺き材９が取り付けられ、木材１ｃの屋根裏空間に露出する両側面と下面の三面に、アルミ箔、アルミ板、アルミテープ、アルミガラスクロス、鉄板、銅板等の薄型金属板２ｃが接着剤、ビス、ねじ等により貼着されることにより構成されている。
なお、図示していないが、木製つか等にあっても、露出面にもや７やたる木８と同様に薄型金属板を貼着する。
【００２０】
この発明の建物の屋根の防火構造によれば、もや７やたる木８の本体部の木材１ｂ、１ｃの露出部は、薄型金属板２ｂ、２ｃによって炎が遮られて難燃化されるので、建物の屋根の防火性能が向上したものとなっている。仮に燃焼しても、難燃材を含浸していないので有毒ガスが発生しない。
【産業上の利用可能性】
【００２１】
この発明によれば、建物の屋根や外壁部の防火性が向上するので、建物の燃焼や延焼に寄与するものとなる。
【図面の簡単な説明】
【００２２】
【図１】この発明の建物の外壁の防火構造に用いられる難燃化された木材からなる胴縁の一例を示す部分断面図である。
【図２】この発明の建物の外壁の防火構造の一例を示すものであり、（イ）は部分縦断面図、（ロ）は部分横断面図である。
【図３】この発明の建物の屋根の防火構造の一例を示すものであり、（イ）は部分縦断面図、（ロ）は（イ）のＡ−Ａ線の断面図である。
【符号の説明】
【００２３】
１、１ａ、１ｂ、１ｃ  木材
２、２ａ、２ｂ、２ｃ  薄型金属板
３    胴縁
４    間柱
５    外装材
６    内装材
７    もや
８    たる木
９    屋根葺き材
【図１】
2005061023.tif 000003
【図２】
2005061023.tif 000004
【図３】
2005061023.tif 000005